(57)【要約】 【課題】  エンドユーザーが、プッシュ・プル仕様と、片面的仕様とを、自由に選択することができること。【解決手段】  押圧片によって移動可能な第１摺動体と第２摺動体を錠箱内に設け、一方、錠箱内に前板７Ａの縦長嵌合孔１４Ａに垂直の嵌合板部分８１が位置するように該錠箱内にブロック片４０Ａを逆様自在に設け、仕様態様の切替え時、まず、前板７Ａのフロント７ｂを裏板７ａから取り外し、次に、ブロック片４０Ａを逆様にして前板７Ａの裏板７ａにセットし、次に、前記フロント７ｂを裏板７ａに固定すると、前記嵌合板部分８１の中央部からずれた部位から水平方向に突出する規制部分８２が第２摺動体４７の先端部に対向して該第２摺動体の前進が阻止され、本来的なプッシュ・プル仕様から片面的仕様態様に切り替わるプシュ・プル錠。【選択図】  図８
2007032188.tif 000002
【特許請求の範囲】
【請求項１】
押圧片によって移動可能な第１摺動体と第２摺動体を錠箱内に設け、一方、錠箱内に前板７Ａの縦長嵌合孔１４Ａに垂直の嵌合板部分８１が位置するように該錠箱内にブロック片４０Ａを逆様自在に設け、仕様態様の切替え時、まず、前板７Ａのフロント７ｂを裏板７ａから取り外し、次に、ブロック片４０Ａを逆様にして前板７Ａの裏板７ａにセットし、次に、前記フロント７ｂを裏板７ａに固定すると、前記嵌合板部分８１の中央部からずれた部位から水平方向に突出する規制部分８２が第２摺動体４７の先端部に対向して該第２摺動体の前進が阻止され、本来的なプッシュ・プル仕様から片面的仕様態様に切り替わることを特徴とするプシュ・プル錠。
【請求項２】
請求項１に於いて、裏板７ａの内壁面には、垂直の嵌合板部分８１の端部をそれぞれ係止する複数個の係合爪片８３が設けられていることを特徴とするプシュ・プル錠。
【請求項３】
請求項１に於いて、ブロック片４０Ａの規制部分８２は、縦断面Ｌ状に形成され、かつ、少なくともブロック片４０Ａの垂直の嵌合板部分８１は磁性体であることを特徴とするプシュ・プル錠。
【請求項４】
ハンドルをプル又はプッシュすると、錠箱６Ａ内に突出するハンドル側の揺動片５１Ａの駆動力により、かつ、付勢手段４０Ｆの付勢力に抗して水平移動する同調部材３９Ａ、この同調部材３９Ａに連動するようにラッチロッド３３Ａに案内される可動枠部材３２Ａ内に組み込まれた可動ストッパー３８Ａ、この可動ストッパー３８Ａを介して可動枠部材３２Ａの規制を解消するラッチ用仮施錠の解錠機構を備えたプッシュ・プル錠に於いて、前記錠箱内に前板７Ａの縦長嵌合孔１４Ａに垂直の嵌合板部分８１が位置するように該錠箱内にブロック片４０Ｂを逆様自在に設け、仕様態様の切替え時、まず、前板７Ａのフロント７ｂを裏板７ａから取り外し、次に、ブロック片４０Ｂを逆様にして前板７Ａの裏板７ａにセットし、次に、前記フロント７ｂを裏板７ａに固定すると、前記嵌合板部分８１の中央部からずれた部位から水平方向に突出する規制部分８２が同調部材３９Ａの先端部に対向して、該同調部材３９Ａの前進が阻止され、本来的なプッシュ・プル仕様からプル仕様から片面的仕様態様に切り替わることを特徴とするプシュ・プル錠。
【請求項５】
請求項４に於いて、裏板７ａの内壁面には、垂直の嵌合板部分８１の端部をそれぞれ係止する複数個の係合爪片８３が設けられていることを特徴とするプシュ・プル錠。
【請求項６】
請求項４に於いて、ブロック片４０Ｂの規制部分８２は、縦断面Ｌ状に形成され、かつ、少なくともブロック片４０Ｂの垂直の嵌合板部分８１は磁性体であることを特徴とするプシュ・プル錠。
【発明の詳細な説明】
【技術分野】
【０００１】
本発明は、プシュ・プル錠に関し、特に扉の開扉時に内外の操作ハンドルをそれぞれプル又はプッシュすると、錠箱内のラッチの係止解除機構により、ラッチ用施錠片がロック解除の方向へ回転するプシュ・プル錠に関する。
【背景技術】
【０００２】
特許文献１、特許文献２には、「扉の取付け場所（例えばドアクローザが必要ない室内扉）を考慮し、ユーザーが錠箱の前板から見える回動ボタンの操作部を操作すると、プッシュ・プル仕様から片面的仕様（プル仕様、又はプッシュ仕様）へと切り換るプッシュ・プル錠の具体的構成」が開示されている。
【０００３】
これらの発明は、例えばトイレ、寝室等の室内扉の操作ハンドルをプッシュして当該室内側（向こう側）へ勢い良くプッシュして開扉する場合、また、勝手口の扉を室内側の操作ハンドルを操作して室外側へとプッシュして開扉する場合に於いて、ドアクローザが建具に取付けられていないときに有益である。
【０００４】
その理由は、プッシュ・プル仕様から片面的仕様（例えばプル仕様）に切り換えると、扉を開ける場合には、一旦手前側にプル操作して扉を開ける必要があるから、扉を向こう側或いは室外側へ勢い良く開扉する事態（お年より等がバランスを崩すこと）を極力防ぐことができるからである。
【０００５】
ここで、後述する本願発明との対比上、特許文献１に記載の発明を、図１乃至図７を参照にして説明する。なお、特許文献１には、その構成及び作用が詳細に記載されているが、公報を援用することは禁止されているので、ここで、第１実施例について説明する。
【０００６】
（ａ）従来の第１実施例
図１乃至図７は、特許文献１の第１実施例を示す各説明図である。まず、図１は発明を構成する環境全体を示す。この図１に於いて、Ｘは錠箱の上部空間に配設されたラッチの係止解除機構、Ｙは錠箱の下部空間に配設されたサムターン錠の締め出し防止機構、１は戸枠、２は受け金具、３は受け金具の縁、４は扉、５は扉の自由端部内に設けた錠前（プッシュ・プル錠）、６は錠箱、７は錠箱の前板、８はラッチ枠部である。
【０００７】
前記錠箱６には、前板７に対して回動可能に設けられた回動ボタン４０を回動操作すると、プッシュ・プル錠におけるラッチ施錠片の解除態様が、プッシュ・プル仕様又はプル仕様のいずれかに切り替わるラッチの係止解除機構Ｘと、開扉の時に不注意によりラッチを施錠した状態で扉を閉めた時にラッチの施錠状態が自動的に解錠状態となるサムターン錠の締め出し防止装置Ｙとが設けられている。
【０００８】
（ｂ）図２−錠箱６の構成
次に、図２は錠箱６の構成を示す。また、図３はラッチ枠部８、ラッチ３０、ラッチ作動杆３３等を示す。これら図２、図３に於いて、６ａはケース身、６ｂはケース蓋、７は前板（裏板７ａとフロント７ｂ）、８はラッチ枠部、９は前板７の中央部に形成された開口窓である。
【０００９】
前記ラッチ枠部８は、図３で示すように、上壁８ａと、下壁８ｂ、後壁８ｃとを有する端面コ字型形状である。そして、前記上壁８ａにはラッチの係止解除機構Ｘを構成するラッチ施錠片（第１施錠片）６０用の第１受入れ孔１０が形成され、一方、下壁８ｂには、第２施錠片７１用の第２受入れ孔１１が形成されている。また、第１・第２受入れ孔１０，１１は、開口窓９側から前記後壁８ｃに向かって形成された水平長孔である。またラッチ枠部８の後壁８ｃの一側壁には、上下方向の一部に作動杆３３用の切欠部１２が形成されている。
【００１０】
図２に戻って、１４は前板７に形成された回動ボタン用の支持部（嵌合孔）で、この嵌合孔１４の後方には、前板７に所要間隔離間して垂直状態の受け片１５が突設されている。
【００１１】
また、１６は前記受け片１５を基準にして上下に設けられた第１摺動体用の上方水平案内部、一方、１７は錠箱６の下方隅角部に形成されたサムターンダルマ用軸孔１８を基準にして上下かつオフセット状態に設けられたリリーススライダー用の下方水平案内部である。
【００１２】
また、１８はサムターンダルマ用軸孔、２０は錠箱６の上部側に形成された操作ハンドルに連動する、或いは操作ハンドルの水平軸に一体的に固定された押圧片４８，４９用の矩形状窓孔である。
【００１３】
さらに、錠箱６には固定軸が複数個配設されている。固定軸を上方から順番に説明すると、２１は第１固定軸、２２は第２固定軸、２３は第３固定軸、２４は第４固定軸、そして、２５は錠箱の底壁の中央部に設けられた第５固定軸である。
【００１４】
（ｃ）ラッチなど−図３
次に、図３に於いて、３０はラッチ、３０ａは開口縁３と摺接する衝止面、３０ｂ，３０ｂは回転軸機能、係合機能等を有する突起部、３０ｃ，３０ｃはラッチの後端部、３１は後端部に形成されバネ端収納部である。
【００１５】
また、３２はラッチバネで、この一端部３２ａは、ラッチの作動杆３３の端面Ｌ型状先端部３４に圧接し、一方、その他端部３２ｂはラッチ枠部８の後壁８ｃ内面に圧接する。
【００１６】
また、３３はラッチの作動杆、３４は作動杆の先端部、３４ａはラッチバネ３２の一端部３２ａを受けるバネ端支持壁、３４ｂは支持壁３４ａと交差する先端部一側壁、３５はラッチ枠部８の切欠部１２に案内される摺動壁である。しかして、前記バネ端支持壁３４ａの内壁面と後端部の前壁面との間には、バネ収納空間３６が設けられている。また前記後端部には、その後壁面の上端部寄りの部位から底壁面に向かって傾斜状の係合面３７ａを有する係合切欠部３７が形成されている。
【００１７】
（ｄ）回動ボタンなどー図４
次に、図４は主要部材を示す。４０は前板７に対して回動可能に設けられた回動ボタンである。４１は周胴部で、この周胴部４１は錠箱６の裏板７ａの内壁面と受け片１５の空間部に位置する。４２は周胴部４１の外周壁面に半径方向に突設された羽状の１又は２以上のストッパー部で、このストッパー部４２は、回動ボタン４０の回転位置如何によって後述する第２摺動体４７の前進を規制する機能を果す。４３は周胴部４１の前面に突設された嵌合突起で、この嵌合突起４３は前板７の嵌合孔１４に嵌合する。嵌合突起４３の前面は、フロント７ｂの前面と面一であり、図示しない小ドライバー用の溝４３ａを有する。４４は周胴部４１の後面に形成されたバネ支持部で、このバネ支持部４４は凹所状に形成されている。
【００１８】
また、４５はバネ支持部４４と受け片１５との間に設けられた押圧バネで、この押圧バネ４５は周胴部４１の前面を前板７の内壁面に押し付ける。
【００１９】
（ｅ）摺動体４６．４７などー図５
次に、図５は錠箱５の上方の収納空間に水平状態に配設されたプッシュ・プル用摺動体４６，４７と摺動体用付勢バネ５２を示す。なお、ここでは外枠の摺動体を第１摺動体４６、一方、外枠の摺動体内に組み込まれた枠状の摺動体を第２摺動体４７とする。また、外側の操作ハンドルに連動する部材を上方の押圧片４８とし、一方、内側の操作ハンドルに連動する部材を下方の押圧片４９とする（図１参照）。
【００２０】
まず、外枠の第１摺動体４６は、複数個の係合突起を介して錠箱６の上方水平案内部１６に水平動自在に設けられている。しかして、４６ａは上壁部、４６ｂは下壁部、４６ｃは上下壁部と直交する後壁部、４６ｄは後壁部に対して所要の空間を有して対向する前壁部である。前記後壁部４６ｃの内壁面は前述した上下の押圧片４８，４９を受ける受け板の機能を有する。また前記下壁部４６ｂの一部には揺動レバー５５用の切欠部５１が形成されている。さらに、前記前壁部４６ｄは摺動体用付勢バネ５２の一端部を受ける機能や受け片１５と当接する機能を有する。しかも、前壁部４６ｄは上下壁部４６ａ，４６ｂの先端部寄りの部位に設けられていると共に、ケース身６ａの幅広側壁側には、第２摺動体４７の移動を許容する図示しない切欠部を有している。
【００２１】
次に、内側の第２摺動体４７は、横長のコ時型形状に形成され、回動ボタン４０及び上下の押圧片４８，４９にそれぞれ関連付けられて（回動ボタン４０のストッパー部４２に対向可能、押圧片４８，４９に係合する意味）外枠第１摺動体４６内に水平動自在に設けられている。
【００２２】
しかして、４７ａは内側の上壁部、４７ｂは内側の下壁部、４７ｃは上下壁部４７ａ，４７ｂと直交する内側の後壁部、４７ｄは後壁部と対向するバネ受け用隔壁、４７ｅは回動ボタン４０のストッパー４２と関係する先端部である。
【００２３】
前記内側の上下壁４７ａ，４７ｂの先端部寄りの部位には、逃し用切欠部５３が形成され、また前記内側の下壁４７ｂの一部には、揺動レバー用の切欠部５１と同様の内側切欠部５４が形成されている。さらに、前記バネ受け用隔壁４７ｄは前述した摺動体用付勢バネ５２の他端部を受ける。したがって、摺動体用付勢バネ５２は、第１及び第２摺動体４６，４７内に組み込まれている。
【００２４】
（ｆ）揺動レバー５５など−図１
次に図１を参照にして揺動レバー５５等について説明する。５５は第２固定軸２２に軸支された揺動レバーである。この揺動レバー５５の上方のアーム部５６は、第１及び第２摺動体４６，４７の各切欠部５１，５４に係合している。一方、アーム部５６に連設する下方部分にはバネ受け部５７が形成されている。前記アーム部５６の先端部には係合突起５６ａが設けられ、この係合突起５６ａは、ラッチ用第１の施錠片６０の上辺部分と常に係合している。
【００２５】
また、５８は第２固定軸２２に巻装された揺動レバー用バネで、このバネ５８は揺動レバー５５のアーム部５６が常時第１及び第２摺動体４６，４７の各切欠部５１，５４に係合する方向へと付勢する。
【００２６】
また、６０は第１固定軸２１に軸支された長板状の第１の施錠片で、この第１の施錠片の先端部側には、ラッチ枠部８の第１受入れ孔１０から入り込んでラッチ３０の突起部３０ｂと係脱する幅広の第１係合部６１が設けられている。一方、第１の施錠片の後端部側には、第１摺動体４６の後端下部と当接する傾斜状の第２係合部６２が設けられている。
【００２７】
また、６３は第１固定軸２１に中央部が巻装された第１施錠片用バネで、この第１施錠片用バネ６３は、前記第１係合部６１がラッチ３０の突起部３０ｂに係合する方向へ常時付勢する。
【００２８】
（ｇ）作用の１−図６
前述したように、この実施例では、前板７の手前から図示しないドライバーの先を溝４３ａに差し込み、回動ボタン４０を回動操作すると、プッシュ・プル錠におけるラッチ施錠片６０の解除態様が、プッシュ・プル仕様又はプル仕様（又はプッシュ仕様）のいずれかに切り替わる。
【００２９】
まず、図６は回動ボタン４０の羽状ストッパー部４２，４２が水平状態の場合、当該操作ハンドル（内外の操作ハンドル如何を問わない）を「プル（引く操作）」又は「プッシュ（押す操作）」した場合である。この場合プッシュ・プル錠は、本来的意味でのプッシュ・プル仕様である。
【００３０】
すなわち、外側の操作ハンドルであろうと、又は内側の操作ハンドルであろうと、手にした当該操作ハンドルを「プル」又は「プッシュ」すると、第１摺動体４６は後退方向へ、又は第２摺動体４７は前進方向へそれぞれ移動する。その結果、ラッチ施錠片６０はダイレクトに、又は揺動レバー５５を介して係合解錠方向へ回動（揺動）する。
【００３１】
図１、図６に於いて、回動ボタン４０の羽状ストッパー部４２，４２が水平状態である。そこで、説明の便宜上、第１摺動体４６がプル用として機能した場合（プル用摺動体）、一方、第２摺動体４７がプッシュ用として機能した場合（プッシュ用摺動体）をその作用の一例として説明する。
【００３２】
すなわち、ここでは外枠の第１摺動体４６（一方）を、内外の操作ハンドルを「プル（引く操作）」した時に水平移動するプル用摺動体とし、内側の第２摺動体４７（他方）を、内外の操作ハンドルを「プッシュ（押す操作）」した時に水平移動するプッシュ用摺動体とする。
【００３３】
また、錠箱６の窓孔２０からは、内外の操作ハンドルの上下の押圧片４８，４９が水平状態に入り込んでいるが、図１を基準にして上の押圧片４８が後退（錠箱の後壁に向かって移動）する場合は「プル時」とし、一方、図１を基準にして下の押圧片４９が前進（錠箱の前板に向かって移動）する場合は「プッシュ時」とする。
【００３４】
このような前提にて、例えば外側操作ハンドルのプル時（或いは内側操作ハンドルのプル時）には、外枠の第１摺動体４６は上方の押圧片４８に押されて図６矢印Ａの方向に移動する。
【００３５】
したがって、ラッチ施錠片６０は第１摺動体４６の後壁４６ｃ下部に押されることになるから、第１固定軸２１を支点にバネ６３のバネ力に抗して係合解除の方向へダイレクトに回動する。
【００３６】
一方、内側操作ハンドルのプシュ時には、今度は内側の第２摺動体４７が下方の押圧片４９に押されて図６矢印Ｂの方向に移動する。
【００３７】
したがって、ラッチ施錠片６０は、揺動レバー５５がそのバネ５８のバネ力に抗して反時計方向に回動（揺動）することになるから、第１固定軸２１を支点に係合解除の方向へ回転する。
【００３８】
なお、図６の場合に於いて、例えば内側操作ハンドルのプル時には、外枠の第１摺動体４６は下方の押圧片４８に押されて図６矢印Ａの方向に移動する。また内外操作ハンドルのプシュ時には、内側の第２摺動体４７の上下壁４７ａ，４７ｂの先端部４７ｅ，４７ｅは、回動ボタン４０の羽状ストッパー部４２，４２の上下にそれぞれ入り込む。
【００３９】
（ｈ）作用の２−図７
これに対して、図７は回動ボタン４０の羽状ストッパー部４２，４２が垂直状態である。この場合には、プッシュ・プル錠におけるラッチ施錠片６０の解除態様が、プッシュ・プル仕様から、いずれか一方の仕様（例えばプル仕様）に切り替わる。
【００４０】
この実施例では、内外の操作ハンドルのプル時に上下の押圧片４８，４９が図６の矢印Ａ方向へ移動することを前提にしているので、かような前提条件の場合には、プッシュ操作時、内側の第２摺動体４７の前進は、可動ポタン４０の羽状ストッパー部４２，４２に阻まれるので、プッシュ操作でのラッチ施錠片６０の係合解除は不可ということになる。
【００４１】
一方、プル操作時、外側の第１摺動体４６は上下いずれかの押圧片４８，４９によって矢印Ａ方向へ移動可能なので、ラッチ施錠片６０は前述したように係合解除の方向へ回転する。したがって、図７の仕様は、本来的なプッシュ・プル仕様でないから、片面的仕様（プル仕様）ということになる。なお、また、締め出し防止装置Ｙについての説明は割愛する。
【特許文献１】特開２００４−２１１５２９号公報
【特許文献２】特開２００４−２２５３８４号公報
【特許文献３】特開２００２−１２９７９６号公報
【発明の開示】
【発明が解決しようとする課題】
【００４２】
本発明の第１の目的は、エンドユーザーが、前板７Ａのフロント７ｂを取り外し、かつ、ブロック片４０Ａ（４０Ｂ）を逆様にして前板７Ａの裏板７ａにセットすると、プッシュ・プル仕様から片面的仕様（プル仕様、又はプッシュ仕様）に切替えることができること。第２の目的は、規制対象の摺動体（第１実施例）又は同調部材（第２実施例）の所定方向への移動を確実に阻止することができること。第３の目的は、摺動体や同調部材の先端部の形状に関する設計の自由度を高めること。第４の目的は、実施例によっては、切替え時、ブロック片４０Ａ（４０Ｂ）を裏板７ａから簡単に取り外すことができることである。
【課題を解決するための手段】
【００４３】
本発明のプシュ・プル錠は、押圧片によって移動可能な第１摺動体と第２摺動体を錠箱内に設け、一方、錠箱内に前板７Ａの縦長嵌合孔１４Ａに垂直の嵌合板部分８１が位置するように該錠箱内にブロック片４０Ａを逆様自在に設け、仕様態様の切替え時、まず、前板７Ａのフロント７ｂを裏板７ａから取り外し、次に、ブロック片４０Ａを逆様にして前板７Ａの裏板７ａにセットし、次に、前記フロント７ｂを裏板７ａに固定すると、前記嵌合板部分８１の中央部からずれた部位から水平方向に突出する規制部分８２が第２摺動体４７の先端部に対向して該第２摺動体の前進が阻止され、本来的なプッシュ・プル仕様から片面的仕様態様に切り替わることを特徴とするプシュ・プル錠。
【００４４】
また、本発明のプシュ・プル錠は、ハンドルをプル又はプッシュすると、錠箱６Ａ内に突出するハンドル側の揺動片５１Ａの駆動力により、かつ、付勢手段４０Ｆの付勢力に抗して水平移動する同調部材３９Ａ、この同調部材３９Ａに連動するようにラッチロッド３３Ａに案内される可動枠部材３２Ａ内に組み込まれた可動ストッパー３８Ａ、この可動ストッパー３８Ａを介して可動枠部材３２Ａの規制を解消するラッチ用仮施錠の解錠機構を備えたプッシュ・プル錠に於いて、前記錠箱内に前板７Ａの縦長嵌合孔１４Ａに垂直の嵌合板部分８１が位置するように該錠箱内にブロック片４０Ｂを逆様自在に設け、仕様態様の切替え時、まず、前板７Ａのフロント７ｂを裏板７ａから取り外し、次に、ブロック片４０Ｂを逆様にして前板７Ａの裏板７ａにセットし、次に、前記フロント７ｂを裏板７ａに固定すると、前記嵌合板部分８１の中央部からずれた部位から水平方向に突出する規制部分８２が同調部材３９Ａの先端部に対向して、該同調部材３９Ａの前進が阻止され、本来的なプッシュ・プル仕様からプル仕様から片面的仕様態様に切り替わることを特徴とする。
【発明の効果】
【００４５】
以上の説明から明らかなように、本発明にあっては、次に列挙するような効果がある。
【００４６】
（１）請求項１、請求項４に記載の発明は、エンドユーザーが建物の扉の取付け場所を考慮し、プッシュ・プル仕様と、片面的仕様（プル仕様、又はプッシュ仕様）とを、自由に選択することができる。
【００４７】
（２）仕様態様の切替え時、まず、前板７Ａのフロント７ｂを裏板７ａから取り外し、次に、ブロック片４０Ａ（４０Ｂ）を逆様にして前板７Ａの裏板７ａにセットし、次に、前記フロント７ｂを裏板７ａに固定すると、前記嵌合板部分８１の中央部からずれた部位から水平方向に突出する規制部分８２が第２摺動体４７の先端部に対向するので、多少手間がかかるものの、例えばプッシュ・プル仕様から片面的仕様に、又は片面的仕様から本来的なプッシュ・プル仕様に切替えることができる。なお、フロント７ｂを裏板７ａから取り外さなければ、ブロック片４０Ａ（４０Ｂ）を逆様にすることができないので、簡単に悪戯されないという利点がある。
【００４８】
（３）また、ブロック片４０Ａ（４０Ｂ）は、嵌合板部分８１と、該嵌合板部分８１の中央部からずれた部位から水平方向に突出する規制部分８２とか成るので、規制対象の摺動体（第１実施例）又は同調部材（第２実施例）の所定方向への移動を確実に阻止することができると共に、摺動体や同調部材の先端部の形状に関する設計の自由度を高めることができる。
【００４９】
（４）請求項２、請求項５に記載の発明は、シンプルな構造により、ブロック片４０Ａ（４０Ｂ）を前板の所定位置に簡単にセット（支持）することができる。
【００５０】
（５）請求項３、請求項６に記載の発明は、切替え時、簡単にブロック片４０Ａ（４０Ｂ）を裏板７ａから取り外すことができる。
【発明を実施するための最良の形態】
【００５１】
まず、図８乃至図１３を参照にして、本発明の第１実施例を説明する。なお、本発明の各実施例の説明に当たって、従来の実施例と同一又は同様（機能が同一）の部分には、同一又は同様の符号を付し、重複する説明を省略する。
【００５２】
この第１実施例が、例えば前記従来の一実施例（公知例）と異なる点は、次の通りである。
【００５３】
（１）従来の仕様変換部材は、操作部としての嵌合突起４３が前板７の嵌合孔１４に回転自在に設けられた回動ボタン４０であるのに対して、この実施例の仕様変換部材は、前板７Ａの裏板７ａに係止状態にセットされたブロック片４０Ａである点。
【００５４】
（２）前板７Ａの裏板７ａの方に縦長嵌合孔１４Ａを形成する反面、前板７Ａのフロント７ｂには縦長嵌合孔１４Ａを形成していない点。すなわち、裏板７ａには、縦長嵌合孔１４Ａを塞ぐフロント７ｂが複数個の固着具８５を介して固定されている。
【００５５】
（３）ブロック片４０Ａは、前板７Ａの縦長嵌合孔１４Ａに嵌合し、かつ、磁性体としての垂直の嵌合板部分８１と、該嵌合板部分８１から水平方向に突出する縦断面Ｌ型形状の規制部分８２とから成っている。そして、ブロック片４０Ａは、前板７Ａの縦長嵌合孔１４Ａに垂直の嵌合板部分８１が位置するように該錠箱内にブロック片４０Ａを逆様自在に設けられている。
【００５６】
（４）仕様態様の切替え時、図１３で示すように、前板７Ａのフロント７ｂを裏板７ａから取り外し、次に、ブロック片４０Ａを錠箱６内から引き抜くために、図示しない金属部材や磁石部材をブロック片４０Ａの嵌合板部分８１の前面に宛がい、磁性体の吸着力を利用して、該ブロック片４０Ａを裏板７ａから取り外した後に逆様にして前板７Ａの裏板７ａに再びセットする。この時、逆様状態のブロック片４０Ａは、その嵌合板部分８１が裏板７ａの裏面に突出形成した上下一対の係合爪片８３に係止状態で支持される。
【００５７】
（５）次に、フロント７ｂを裏板７ａに固着具８５を介して固定すると、嵌合板部分８１の中央部からずれた部位から水平方向に突出する規制部分８２が第２摺動体４７の先端部に対向して、該第２摺動体の前進が阻止され、本来的なプッシュ・プル仕様から片面的仕様態様に切り替わる。
【００５８】
上記構成に於いて、図１２は、図６と同様のプッシュ・プル仕様時の作動状態の説明図である。この場合、ブロック片４０Ａの突起状の規制部分８２は、受け片１５の前面に位置するように下方に位置していることから、例え第２摺動体４７が下の押圧片４９に押圧されると、その上方先端部４７ｅは垂直の嵌合板部分８２に当接可能な位置まで移動である。つまり、第２摺動体４７は規制部分８２に当接することなく、矢印Ｂ方向へ移動可能である。また、第１摺動体４６は上の押圧片４８に押圧されると、矢印Ａ方向へ移動可能である。したがって、図８、図９、図１２は、本来的なプッシュ・プル仕様の各説明図である。
【００５９】
これに対して、図１３で示すようにブロック片４０Ａを逆様にセットすると、図１４で示すように片面的仕様（例えばプル仕様）となる。換言すると、図１４は図７と同様の片面的仕様（例えばプル仕様）時の作動状態の説明図である。この場合には、規制部分８２が第２摺動体４７の先端部に対向して該第２摺動体の前進が阻止され、本来的なプッシュ・プル仕様から片面的仕様態様に切り替わる。
【００６０】
次に、図１５乃至図１８を参照にして、本発明の第２実施例を説明する。第２実施例は、特許文献２、特許文献３に記載の錠前に本発明を適用したものである。したがって、第２実施例は、錠前５Ａの構造が相違する点及びブロック片４０Ｂが多少シンプルな構成となっている点を除き、第１実施例と発明の本質的事項は同一である。
【００６１】
なお、第１実施例と同一の部分には同一の符号を付して重複する説明を割愛する。また、第２実施例の錠前５Ａの構成・作用を説明するにあたって、特許文献２、特許文献３と同一の部分には、同様の符号（例えばＡを付加）を用いることにする。
【００６２】
したがって、１Ａは戸枠、２Ａは受け金具、３Ａは縁、４Ａは扉、５Ａは錠前（プッシュ・プル錠）、７Ａは前板等である。また、１６Ａは揺動片（押圧片）用の窓、３２Ａは可動枠部材、３３Ａはラッチロッド、３４Ａはラッチ用支持ブロック、３５Ａはラッチ等である。さらに、４０Ｂはブロック片、１４Ａは縦長嵌合孔、８１は嵌合板部分、８２は規制部分等である。
【００６３】
さて、第２実施例の錠前５Ａの錠箱６Ａ内には、プッシュ及びプルの操作が可能な内側ハンドルを操作すると、該ハンドル側の揺動片（押圧片）５１Ａの駆動力によって左右（フロント側又はケースの後壁側）にそれぞれ水平移動する一つの同調部材３９Ａ（枠状摺動部材）と、この同調部材３９Ａが水平動すると、該同調部材の上方に配設された板状係合保持部材４１Ａを介して係合解除の方向（上方方向）に内装ばね４８Ａのバネ力に抗して持ち上げられる可動ストッパー３８Ａと、該可動ストッパー３８Ａによって規制が解消され、かつ、反転式のラッチ３５Ａの回動に伴い、後方配設のばね部材３７Ａのバネ力に抗して錠箱６Ａの後壁側へラッチロッド３３Ａを介して後退する枠状可動枠部材３２Ａが組み込まれている。
【００６４】
前記ラッチ３５Ａの仮施錠時（可動ストッパー３８Ａが上方の内装バネ４８Ａのバネ力により下方に下降している場合）に於いて、同調部材３９Ａは、錠箱Ａ６の下部に左右対称に配設された付勢手段４０Ｆ（可動ブロック４０ａ，付勢ばね４０ｂ）の付勢ばね４０ｂのバネ力により、可動枠部材３２Ａに間接的に係合する位置へと自動的に復帰する。この時、前記可動ストッパー３８Ａは下降しており、係合保持部材４１Ａの先端係合部は、逆コ字型状の同調部材３９Ａの上壁面に形成された凹所状の被係合部に係合する。
【００６５】
上記構成に於いて、可動ストッパー３８Ａは、可動枠部材３２Ａに設けた係止部と係脱されると共に、係止部と係合することにより可動枠部材３２Ａの移動を規制してラッチ３５Ａを仮施錠状態にロックする。
【００６６】
したがって、この錠前５Ａは、図示しないハンドルをプル又はプッシュすると、錠箱６Ａ内に突出するハンドル側の揺動片５４Ａの駆動力により、かつ、付勢手段４０Ｆの付勢力に抗して水平移動する同調部材３９Ａ、この同調部材３９Ａに連動するようにラッチロッド３３Ａに案内される可動枠部材３２Ａ内に組み込まれた可動ストッパー３８Ａ、この可動ストッパー３８Ａを介して可動枠部材３２Ａの規制を解消するラッチ用仮施錠の解錠機構を備えたプッシュ・プル錠である。
【００６７】
そして、本発明は、前記錠箱６Ａの前板７Ａの縦長嵌合孔１４Ａに、仕様変換部材（ブロック片）４０Ｂを設けている。このブロック片４０Ｂは、前述した同調部材３９Ａの突起状先端部３９ａが一つであるものの、基本的構成は同一である。
【００６８】
したがって、図１７は、本来的なプッシュ・プル仕様の説明図であり、一方。図１８は、突起状の規制部分８２が同調部材３９Ａの先端部に対向して、該同調部材３９Ａの前進が阻止され、本来的なプッシュ・プル仕様からプル仕様から片面的仕様態様に切り替わる説明図である。
【実施例】
【００６９】
第１実施例及び第２実施例に於いて、ブロック片４０Ａ（４０Ｂ）の規制部分８２は縦段面Ｌ型形状であるが、この部分は、任意に設計変更（例えば段面横Ｔ型形状）可能である。もちろん、段面横Ｔ型形状のブロック片に設計変更した場合には、突起状の規制部分８２を垂直の嵌合板部分８１の中央部からずれるように位置付ける必要がある。このように形状を設計変更しても、本発明の目的・効果を充足する限り、構成は同一である。
【００７０】
また、ブロック片４０Ａ（４０Ｂ）の垂直の嵌合板部分８１は磁性体であるが、規制部分８２も磁性体にしても良い。また、ブロック片４０Ａ（４０Ｂ）が磁性体でない場合には、ブロック片４０Ａ（４０Ｂ）をドライバー等の工具を利用して前板７Ａから簡単に取り出せるように、例えば裏板７ａの縦長嵌合孔１４Ａの上下の開口縁に小切欠を形成する、垂直の嵌合板部分８１の前面に小さな引っ掛け部分を形成する、縦長嵌合孔１４Ａに対して嵌合板部分８１を遊嵌合状態に嵌め込む等の工夫をしても良い。さらに、ブロック片４０Ａ（４０Ｂ）を係止する構成は任意に設計変更可能である。
【図面の簡単な説明】
【００７１】
図１乃至図７は、従来の実施例を示す各説明図。図８乃至図１４は、本発明の第１実施例を示す各説明図。図１５乃至図１８は、本発明の第２実施例を示す各説明図。
【図１】扉の閉戸時における本来的なプッシュ・プル仕様態様を示す概略説明図。
【図２】ケース身を主とした錠箱の説明図。
【図３】ラッチ、ラッチ枠部、作動杆等の説明図。
【図４】回動ボタン等の説明図。
【図５】第１・第２摺動体等の説明図。
【図６】プッシュ・プル仕様時の作動状態の説明図。
【図７】片面的仕様（例えばプル仕様）時の作動状態の説明図。
【図８】本発明の第１実施例を示す図１と同様の概略説明図。
【図９】図８に於いて、主要部の拡大図。
【図１０】（ａ）はブロック片の正面側からの斜視図、（ｂ）はブロック片の背面側からの斜視図。
【図１１】前板、ブロック片、摺動体の各説明図。
【図１２】図６と同様のプッシュ・プル仕様時の作動状態の説明図。
【図１３】ブロック片を逆様にセットする場合の概略説明図。
【図１４】図７と同様の片面的仕様（例えばプル仕様）時の作動状態の説明図。
【図１５】本発明の第２実施例を示す図８（図１）と同様の概略説明図。
【図１６】図９と同様の拡大説明図。
【図１７】図１２（図６）と同様のプッシュ・プル仕様時の作動状態の説明図。
【図１８】図１４（図７）と同様の片面的仕様（例えばプル仕様）時の作動状態の説明図。
【符号の説明】
【００７２】
Ｘ…ラッチの係止解除機構、１，１Ａ…戸枠、２，２Ａ…受け金具、３，３Ａ…縁、４，４Ａ…扉、５、５Ａ…錠前（プッシュ・プル錠）、６，６Ａ…錠箱、７，７Ａ…前板、７ａ…裏板、７ｂ…フロント、８…ラッチ枠部、９…開口窓、１４…嵌合孔、１４Ａ…縦長嵌合孔、１５…受け片、１６Ａ…揺動片（押圧片）用の窓、２０…窓孔、２１〜２５…固定軸、３０…ラッチ、３２…ラッチバネ、３３…作動杆、３７…係合切欠部、３７ａ…係合面、４０…回動ボタン、４０Ａ，４０Ｂ…仕様変換部材（ブロック片）、４６…第１摺動体、４７…第２摺動体、４８，４９…押圧片、５１，５４…揺動レバー用の切欠部、５５…揺動レバー、５６…アーム部、５８…揺動レバー用バネ、６０…ラッチ用施錠片、６１…第１係合部、６２…第２係合部、６３…施錠片用バネ、８１…垂直の嵌合板部分、８２…突起状規制部分、８３…係合爪片、８５…固着具、４７ｅ…摺動体の先端部、３２Ａ…可動枠部材、３３Ａ…ラッチロッド、３４Ａ…ラッチ用支持ブロック、３５Ａ…ラッチ、３８Ａ…可動ストッパー、５１Ａ…揺動片（押圧片）、３９Ａ…同調部材（枠状摺動部材）、３９ａ…突起状先端部、４０Ｆ…付勢手段、４０ａ…可動ブロック，４０ｂ…付勢ばね、４１Ａ…係合保持部材。
【図１】
2007032188.tif 000003
【図２】
2007032188.tif 000004
【図３】
2007032188.tif 000005
【図４】
2007032188.tif 000006
【図５】
2007032188.tif 000007
【図６】
2007032188.tif 000008
【図７】
2007032188.tif 000009
【図８】
2007032188.tif 000010
【図９】
2007032188.tif 000011
【図１０】
2007032188.tif 000012
【図１１】
2007032188.tif 000013
【図１２】
2007032188.tif 000014
【図１３】
2007032188.tif 000015
【図１４】
2007032188.tif 000016
【図１５】
2007032188.tif 000017
【図１６】
2007032188.tif 000018
【図１７】
2007032188.tif 000019
【図１８】
2007032188.tif 000020